(57)【特許請求の範囲】
【請求項１】
第１面及び前記第１面に対向する第２面を有するシート状の本体部と、
一軸方向に沿って前記本体部の前記第２面に配列され、前記本体部とは反対側を向く面にレンズ面を形成する複数の単位レンズと、
前記複数の単位レンズが配列された前記本体部の前記第２面に対向して配置された太陽電池パネルと、
前記本体部または前記単位レンズの前記レンズ面に前記一軸方向に沿って配列された複数の表示面と、
を備える、太陽電池複合型表示体であって、
前記表示面は、前記一軸方向及び前記本体部の法線方向の両方に平行な主切断面において、前記太陽電池パネルのパネル面に対して傾斜し、
第１角度範囲から前記太陽電池複合型表示体に入射する光が前記表示面に到達し、前記第１角度範囲とは異なる第２角度範囲から前記太陽電池複合型表示体に入射した光が、前記単位レンズ及び隣り合う２つの表示面の間を通過して前記太陽電池パネルに到達し、
前記単位レンズは、前記第２角度範囲内から前記太陽電池複合型表示体に入射する平行光束であって、前記本体部の法線方向に対して傾斜した或る方向から前記レンズ面に入射する平行光束を、前記本体部の法線方向に沿った方向から前記レンズ面に入射する平行光束よりも高い透過率で、透過させる、太陽電池複合型表示体。
【請求項２】
第１面及び前記第１面に対向する第２面を有するシート状の本体部と、
一軸方向に沿って前記本体部の前記第２面に配列され、前記本体部とは反対側を向く面にレンズ面を形成する複数の単位レンズと、
前記複数の単位レンズが配列された前記本体部の前記第２面に対向して配置された太陽電池パネルと、
前記本体部または前記単位レンズの前記レンズ面に前記一軸方向に沿って配列された複数の表示面と、
を備える、太陽電池複合型表示体であって、
前記表示面は、前記一軸方向及び前記本体部の法線方向の両方に平行な主切断面において、前記太陽電池パネルのパネル面に対して傾斜し、
第１角度範囲から前記太陽電池複合型表示体に入射する光が前記表示面に到達し、前記第１角度範囲とは異なる第２角度範囲から前記太陽電池複合型表示体に入射した光が、前記単位レンズ及び隣り合う２つの表示面の間を通過して前記太陽電池パネルに到達し、
前記単位レンズは、前記本体部の法線方向に沿った方向から前記レンズ面に入射する平行光束の一部を、全反射させる、太陽電池複合型表示体。
【請求項３】
第１面及び前記第１面に対向する第２面を有するシート状の本体部と、
一軸方向に沿って前記本体部の前記第２面に配列され、前記本体部とは反対側を向く面にレンズ面を形成する複数の単位レンズと、
前記複数の単位レンズが配列された前記本体部の前記第２面に対向して配置された太陽電池パネルと、
各々に対応する前記単位レンズの前記レンズ面の一部に沿って配置された複数の表示面と、
を備え、
前記レンズ面のうちの前記表示面が配置された領域は、前記本体部の法線方向に沿った方向から入射する光の入射角が全反射臨界角以上となる領域を含んでいる、太陽電池複合型表示体。
【請求項４】
第１面及び前記第１面に対向する第２面を有するシート状の本体部と、
一軸方向に沿って前記本体部の前記第１面に配列され、前記本体部とは反対側を向く面にレンズ面を形成する複数の単位レンズと、
前記本体部の前記第２面に対向して配置された太陽電池パネルと、
前記本体部または前記単位レンズの前記レンズ面に前記一軸方向に沿って配列された複数の表示面と、
を備える、太陽電池複合型表示体であって、
前記表示面は、前記一軸方向及び前記本体部の法線方向の両方に平行な主切断面において、前記太陽電池パネルのパネル面に対して傾斜し、
第１角度範囲から前記太陽電池複合型表示体に入射する光が前記表示面に到達し、前記第１角度範囲とは異なる第２角度範囲から前記太陽電池複合型表示体に入射した光が、前記単位レンズ及び隣り合う２つの表示面の間を通過して前記太陽電池パネルに到達し、
前記単位レンズは、前記第２角度範囲内から前記太陽電池複合型表示体に入射する平行光束であって、前記本体部の法線方向に対して傾斜した或る方向から前記レンズ面に入射する平行光束を、前記本体部の法線方向に沿った方向から前記レンズ面に入射する平行光束よりも高い透過率で、透過させる、太陽電池複合型表示体。
【請求項５】
前記本体部は、前記第１面と前記第２面との間を延びる側面を有し、
前記本体部の前記側面に、反射層が設けられている、請求項１乃至４のいずれか一項に記載の太陽電池複合型表示体。
【請求項６】
各表示面に表示対象要素が付与され、前記表示対象要素の組み合わせで表示対象が形成される、請求項１乃至５のいずれか一項に記載の太陽電池複合型表示体。
【発明の詳細な説明】
【技術分野】
【０００１】
本発明は、表示を行うための表示面を含み、太陽電池パネルによる発電も行うことが可能な太陽電池複合型表示体に関する。
【背景技術】
【０００２】
このような太陽電池複合型表示体の一例として、太陽電池パネルを併設した交通標識が特許文献１に記載されている。特許文献１に記載の交通標識では、昼間に太陽電池パネルにて発電した電力を蓄え、この蓄えた電力を照明用電源として利用し、夜間の視認性や昼間の注意喚起効果を向上させることができる。また、外部から電力を供給する配線ケーブル等が不要なため、電源設備がない地域であっても容易に設置することができる。このような背景から、近年太陽電池パネルを併設した交通標識の開発が進められてきている。
【先行技術文献】
【特許文献】
【０００３】
【特許文献１】特開２０００−５４３２５号公報
【発明の概要】
【発明が解決しようとする課題】
【０００４】
特許文献１に記載の交通標識では、太陽電池パネルが表示面の上方に併設されている。多くの外光を受光して多くの発電量を得られるよう、太陽電池パネルの受光面は、外部に露出している。このため、交通標識を観察する観察者によって、太陽電池パネルの受光面は視認され易い位置にある。しかしながら、太陽電池パネルの受光面は濃紺色や黒色の単一色であるため、太陽電池パネルの外観は、周囲の環境になじまない。
【０００５】
本発明は、以上の点を考慮してなされたものであり、周囲の環境との調和を図ると共に、表示面による表示及び太陽電池パネルによる発電の両立が可能な太陽電池複合型表示体を提供することを目的とする。また、本発明は、このような太陽電池複合型表示体を設置する方法を提供することを目的とする。
【課題を解決するための手段】
【０００６】
本発明による第１の太陽電池複合型表示体は、第１面及び前記第１面に対向する第２面を有するシート状の本体部と、
一軸方向に沿って前記本体部の前記第２面に配列され、前記本体部とは反対側を向く面にレンズ面を形成する複数の単位レンズと、
前記複数の単位レンズが配列された前記本体部の前記第２面に対向して配置された太陽電池パネルと、
前記本体部または前記単位レンズの前記レンズ面に前記一軸方向に沿って配列された複数の表示面と、を備え、
前記表示面は、前記一軸方向及び前記本体部の法線方向の両方に平行な主切断面において、前記太陽電池パネルのパネル面に対して傾斜し、
第１角度範囲から前記太陽電池複合型表示体に入射する光が前記表示面に到達し、前記第１角度範囲とは異なる第２角度範囲から前記太陽電池複合型表示体に入射した光が、前記単位レンズ及び隣り合う２つの表示面の間を通過して前記太陽電池パネルに到達し、
前記単位レンズは、前記第２角度範囲内から前記太陽電池複合型表示体に入射する平行光束であって、前記本体部の法線方向に対して傾斜した或る方向から前記レンズ面に入射する平行光束を、前記本体部の法線方向に沿った方向から前記レンズ面に入射する平行光束よりも高い透過率で、透過させる。
【０００７】
本発明による第２の太陽電池複合型表示体は、第１面及び前記第１面に対向する第２面を有するシート状の本体部と、
一軸方向に沿って前記本体部の前記第２面に配列され、前記本体部とは反対側を向く面にレンズ面を形成する複数の単位レンズと、
前記複数の単位レンズが配列された前記本体部の前記第２面に対向して配置された太陽電池パネルと、
前記本体部または前記単位レンズの前記レンズ面に前記一軸方向に沿って配列された複数の表示面と、を備え、
前記表示面は、前記一軸方向及び前記本体部の法線方向の両方に平行な主切断面において、前記太陽電池パネルのパネル面に対して傾斜し、
第１角度範囲から前記太陽電池複合型表示体に入射する光が前記表示面に到達し、前記第１角度範囲とは異なる第２角度範囲から前記太陽電池複合型表示体に入射した光が、前記単位レンズ及び隣り合う２つの表示面の間を通過して前記太陽電池パネルに到達し、
前記単位レンズは、前記本体部の法線方向に沿った方向から前記レンズ面に入射する平行光束の一部を、全反射させる。
【０００８】
本発明による第３の太陽電池複合型表示体は、第１面及び前記第１面に対向する第２面を有するシート状の本体部と、
一軸方向に沿って前記本体部の前記第２面に配列され、前記本体部とは反対側を向く面にレンズ面を形成する複数の単位レンズと、
前記複数の単位レンズが配列された前記本体部の前記第２面に対向して配置された太陽電池パネルと、
各々に対応する前記単位レンズの前記レンズ面の一部に沿って配置された複数の表示面と、を備え、
前記レンズ面のうちの前記表示面が配置された領域は、前記本体部の法線方向に沿った方向から入射する光の入射角が全反射臨界角以上となる領域を含んでいる。
【０００９】
本発明による第４の太陽電池複合型表示体は、第１面及び前記第１面に対向する第２面を有するシート状の本体部と、
一軸方向に沿って前記本体部の前記第１面に配列され、前記本体部とは反対側を向く面にレンズ面を形成する複数の単位レンズと、
前記本体部の前記第２面に対向して配置された太陽電池パネルと、
前記本体部または前記単位レンズの前記レンズ面に前記一軸方向に沿って配列された複数の表示面と、を備え、
前記表示面は、前記一軸方向及び前記本体部の法線方向の両方に平行な主切断面において、前記太陽電池パネルのパネル面に対して傾斜し、
第１角度範囲から前記太陽電池複合型表示体に入射する光が前記表示面に到達し、前記第１角度範囲とは異なる第２角度範囲から前記太陽電池複合型表示体に入射した光が、前記単位レンズ及び隣り合う２つの表示面の間を通過して前記太陽電池パネルに到達し、
前記単位レンズは、前記第２角度範囲内から前記太陽電池複合型表示体に入射する平行光束であって、前記本体部の法線方向に対して傾斜した或る方向から前記レンズ面に入射する平行光束を、前記本体部の法線方向に沿った方向から前記レンズ面に入射する平行光束よりも高い透過率で、透過させる。
【００１０】
本発明による第５の太陽電池複合型表示体は、第１面及び前記第１面に対向する第２面を有するシート状の本体部と、
一軸方向に沿って前記本体部の前記第１面に配列され、前記本体部とは反対側を向く面にレンズ面を形成する複数の単位レンズと、
前記本体部の前記第２面に対向して配置された太陽電池パネルと、
前記本体部または前記単位レンズの前記レンズ面に前記一軸方向に沿って配列された複数の表示面と、を備え、
前記表示面は、前記一軸方向及び前記本体部の法線方向の両方に平行な主切断面において、前記太陽電池パネルのパネル面に対して傾斜し、
第１角度範囲から前記太陽電池複合型表示体に入射する光が前記表示面に到達し、前記第１角度範囲とは異なる第２角度範囲から前記太陽電池複合型表示体に入射した光が、前記単位レンズ及び隣り合う２つの表示面の間を通過して前記太陽電池パネルに到達し、
前記単位レンズは、前記本体部の法線方向に沿った方向から前記レンズ面に入射する平行光束の一部を、全反射させる。
【００１１】
本発明による第６の太陽電池複合型表示体は、第１面及び前記第１面に対向する第２面を有するシート状の本体部と、
一軸方向に沿って前記本体部の前記第１面に配列され、前記本体部とは反対側を向く面にレンズ面を形成する複数の単位レンズと、
前記本体部の前記第２面に対向して配置された太陽電池パネルと、
各々に対応する前記単位レンズの前記レンズ面の一部に沿って配置された複数の表示面と、を備え、
前記レンズ面のうちの前記表示面が配置された領域は、前記本体部の法線方向に沿った方向から入射する光の入射角が全反射臨界角以上となる領域を含んでいる。
【００１２】
本発明による第１乃至第６の太陽電池複合型表示体において、前記本体部は、前記第１面と前記第２面との間を延びる側面を有し、前記本体部の前記側面に、反射層が設けられていてもよい。
【００１３】
本発明による第１乃至第６の太陽電池複合型表示体において、各表示面に表示対象要素が付与され、前記表示対象要素の組み合わせで表示対象が形成されていてもよい。
【発明の効果】
【００１４】
本発明によれば、周囲の環境との調和を図ると共に、表示面による表示及び太陽電池パネルによる発電の両立が可能な太陽電池複合型表示体を提供することができる。
【図面の簡単な説明】
【００１５】
【図１】図１は、第１の実施の形態を説明するための図であって、太陽電池複合型表示体を示す斜視図である。
【図２】図２は、図１のＩＩ−ＩＩ線に沿った断面図である。
【図３】図３は、単位レンズに光軸に沿って平行光束を入射させたようすを示す図である。
【図４】図４は、図３に示す単位レンズに光軸に対して傾斜した方向から平行光束を入射させたようすを示す図である。
【図５】図５は、光軸に沿った方向から平行光束を入射させたときに全反射が起こらない単位レンズの一例を示す図である。
【図６】図６は、図５に示す単位レンズに光軸に対して傾斜した方向から平行光束を入射させたようすを示す図である。
【図７】図７は、アスペクト比の異なる複数の単位レンズを対象として、平行光束の入射角度と光の透過率との関係をシミュレーションした結果を示すグラフである。
【図８】図８は、太陽電池複合型表示体に表示される表示対象の一例を示す図である。
【図９】図９は、図２と同様の断面において、太陽電池複合型表示体の作用を説明するための図である。
【図１０】図１０は、図２と同様の断面において、太陽電池複合型表示体の作用を説明するための図である。
【図１１】図１１は、太陽電池複合型表示体の製造方法を説明するための図である。
【図１２】図１２は、太陽電池複合型表示体の製造方法を説明するための図である。
【図１３】図１３は、図１に示す太陽電池複合型表示体に反射層がさらに設けられた例を示す斜視図である。
【図１４】図１４は、第２の実施の形態を説明するための図であって、太陽電池複合型表示体を示す断面図である。
【図１５】図１５は、第３の実施の形態を説明するための図であって、太陽電池複合型表示体を示す斜視図である。
【図１６】図１６は、図１５のＸＶＩ−ＸＶＩ線に沿った断面図である。
【発明を実施するための形態】
【００１６】
以下、図面を参照して実施の形態について説明する。なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１７】
≪第１の実施の形態≫
図１〜図１３は、第１の実施の形態を説明するための図である。このうち図１及び図２は、太陽電池複合型表示体１０の構成を示す斜視図または縦断面図であり、図３〜図７は、単位レンズ３０の光学特性を説明するための図であり、図８〜図１０は、太陽電池複合型表示体１０の作用を説明するため図であり、図１１及び図１２は、太陽電池複合型表示体の製造方法の一例を説明するための図である。
【００１８】
ここで説明する太陽電池複合型表示体１０は、所定の表示機能及び外光を利用した発電機能の両方を発揮する。図１及び図２に示す太陽電池複合型表示体１０は、第１軸方向ｄ１に配列された複数の単位レンズ３０を有し、各単位レンズ３０のレンズ面３１の一部に表示面１２が配置されている。或る角度範囲ＡＲ１内の方向Ｄ２１から太陽電池複合型表示体１０を観察すると、主として単位レンズ３０のレンズ面３１の一部に配置された表示面１２が観察される。したがって、表示面１２は、或る角度範囲ＡＲ１から太陽電池複合型表示体１０を観察する観察者に対して主として表示機能を発揮する。一方、別の或る角度範囲ＡＲ２内の方向から入射した光Ｌ２３は、主として単位レンズ３０のレンズ面３１を透過して、太陽電池パネル５０に導かれる。したがって、太陽電池パネル５０は、別の或る角度範囲ＡＲ２から太陽電池複合型表示体１０へ入射する光に対して主として発電機能を発揮する。しかして、太陽電池複合型表示体１０によれば、観察者からの観察方向と外光の入射方向との相違を利用して、観察者が表示面１２を観察する際に太陽電池パネル５０が視認されることを抑制し、周囲との調和を図ることを可能にしている。
【００１９】
以下、本実施の形態による太陽電池複合型表示体１０の構成および作用効果について詳述していく。図１および図２によく示されているように、太陽電池複合型表示体１０は、光制御シート２０と、光制御シート２０の背面に配置された太陽電池パネル５０と、を有している。光制御シート２０は、太陽電池複合型表示体１０の表面１０ａを形成している。表面１０ａは、太陽電池複合型表示体１０へ入射する太陽光等の外光等が入射する入射面をなし、また、表示対象１３（図８参照）を可視化する表示面１２からの光が太陽電池複合型表示体１０から出射する出射面もなす。
【００２０】
光制御シート２０は、シート状の本体部４０と、本体部４０に積層された賦形部２５と、を有している。このうち、本体部４０は、互いに対向する一対の主面として、第１面４０ａ及び第２面４０ｂを有している。第１面４０ａは、太陽電池複合型表示体１０の表面１０ａを形成し、第２面４０ｂは、賦形部２５と隣接する面を形成している。本体部４０は、太陽電池複合型表示体１０に入射する光を効率よく透過させるよう、光透過性に優れた材料にて構成される。
【００２１】
なお、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。一具体例として、「光制御シート」には、「光制御フィルム」や「光制御板」等と呼ばれる部材も含まれる。
【００２２】
また、本明細書において、「シート面（フィルム面、板面、パネル面）」とは、対象となるシート状の部材を全体的かつ大局的に見た場合において対象となるシート状部材の平面方向と一致する面のことを指す。以下に説明する実施の形態においては、太陽電池複合型表示体１０のパネル面、光制御シート２０のシート面、本体部４０のシート面、並びに、太陽電池パネル５０のパネル面は、互いに並行となっている。さらに、本明細書において、シート状（フィルム状、板状、パネル状）の部材に対して用いる「法線方向」とは、当該部材のシート面への法線方向のことを指す。
【００２３】
本体部４０の第２面４０ｂに配置された賦形部２５は、第１軸方向ｄ１に配列された多数の単位レンズ３０を含んでいる。本実施の形態では、第１軸方向ｄ１は、本体部４０のシート面に沿っており、本体部４０の法線方向ｎｄに直交している。図示する例では、第１軸方向ｄ１は鉛直方向と平行になっている。
【００２４】
また、多数の単位レンズ３０は、その光軸ｏｄが互いに平行となるようにして並べられている。本実施の形態において、各単位レンズ３０の光軸ｏｄは、本体部４０の法線方向ｎｄと平行になっている。
【００２５】
とりわけ、多数の単位レンズ３０は、図１に示すように、いわゆるレンチキュラーレンズ乃至シリンドリカルレンズを構成している。すなわち、各単位レンズ３０は、その配列方向である第１軸方向ｄ１に対して交差する方向に線状に延びている。とりわけ図示された例において、単位レンズ３０は、第１軸方向ｄ１及び法線方向ｎｄの両方と直交する第２軸方向ｄ２に、直線状に延びている。また、多数の単位レンズ３０は、互いに同一に構成されている。
【００２６】
各単位レンズ３０は、シート状の本体部４０から、本体部４０の法線方向ｎｄに向かって突出し、その表面に凸レンズ状に形成されたレンズ面３１を規定している。第１軸方向ｄ１、及び、太陽電池パネル５０の法線方向すなわち本体部４０の法線方向ｎｄの両方に平行な図２の断面（以下においては、「主切断面」とも呼ぶ）において、レンズ面３１は、光軸ｏｄを中心として対称となっている。図２に示すように、各単位レンズ３０は、そのレンズ面３１に入射する平行光束を集光領域に集める。図２に示す単位レンズ３０は、単位レンズ３０の光軸ｏｄに沿って入射する平行光束Ｌ２２を焦点ｆｐに集める例が示されており、この場合、焦点ｆｐは、単位レンズ３０の光軸ｏｄ上に位置する。
【００２７】
図３は、単位レンズ３０に光軸ｏｄに沿って平行光束Ｌ３１が入射するようすを拡大して示す図である。図３に示すように、単位レンズ３０は、光軸ｏｄに沿ってすなわち本体部４０の法線方向ｎｄに沿ってレンズ面３１に入射する平行光束Ｌ３１の一部を全反射させる。すなわち、本実施の形態による単位レンズ３０は、本体部４０の法線方向ｎｄに沿ってレンズ面３１に入射する光を高い透過率で透過させることは意図されていない。なお、ここでいう透過率とは、レンズ面３１に入射する平行光束の光量に対する、レンズ面３１を透過した光の光量の割合をいう。
【００２８】
図４は、単位レンズ３０に光軸ｏｄに対して傾斜した方向から光束Ｌ４１が入射するようすを示す図である。なお、図４において、光束は、光軸ｏｄに対して６０°傾いている。図４に示すように、単位レンズ３０は、光軸ｏｄに対して傾斜した方向からレンズ面３１に入射する平行光束Ｌ４１を高い透過率で透過させる。より詳細には、単位レンズ３０は、本体部４０の法線方向ｎｄに沿ってレンズ面３１に入射する光束Ｌ３１よりも、光軸ｏｄに対して傾斜した方向からレンズ面３１に入射する光束Ｌ４１を高い透過率で透過させる。後述するように、日中の太陽高度は３０°〜６０°の範囲内にあることが多いことから、本体部４０の法線方向ｎｄが正面方向を向く場合、光軸ｏｄに対して傾斜した方向からレンズ面３１に入射する光Ｌ４１を相対的に高い透過率で透過させた方が、全体として太陽電池パネル５０に多くの光を導くことができる。
【００２９】
これに対し、図５は、光軸ｏｄに沿った方向から平行光束Ｌ５１を入射させたときに全反射が起こらない単位レンズ３００の一例を示す図である。図５に示す単位レンズ３００は、光軸ｏｄに沿ってレンズ面３１０に入射する平行光束Ｌ５１を全て透過させて、一部ですら全反射させない。すなわち、図５に示す単位レンズ３００は、光軸ｏｄに沿ってレンズ面３１０に入射する平行光束Ｌ５１は、レンズ面３１０上の任意の地点において全反射臨界角未満となっている。
【００３０】
図６は、図５に示す単位レンズ３００に光軸ｏｄに対して傾斜した方向から光束Ｌ６１が入射するようすを示す図である。図６に示すように、図５に示す単位レンズ３００は、光軸ｏｄに対して傾斜した方向からレンズ面３１０に入射する平行光束Ｌ６１の一部を全反射させてしまい、高い透過率で透過させることができない。すなわち、光軸ｏｄに沿ってレンズ面３１０に入射する平行光束Ｌ１０１を全て透過させる単位レンズ３００は、光軸ｏｄに対して傾斜した方向からレンズ面３１０に入射する平行光束Ｌ６１を高い透過率で透過させることができない。日中の太陽高度は３０°〜６０°の範囲内にあることが多いことから、本体部４０の法線方向ｎｄが正面方向を向く場合、図５に示す単位レンズ３００は、光軸ｏｄに対して傾斜した方向からレンズ面３１に入射する光Ｌ６１を高い透過率で透過させることができず、全体として太陽電池パネル５０に多くの光を導くことができない。
【００３１】
図７は、アスペクト比の異なる複数の単位レンズを対象として、平行光束の入射角度と光の透過率との関係をシミュレーションした結果を示すグラフである。図７のグラフにおいて、横軸は平行光束のレンズ面への入射角を示し、縦軸は各入射角における平行光束の透過率を示している。また、調査した単位レンズのアスペクト比は、下記の表１の通りである。
【表１】
0006551050.tif 000002
【００３２】
図７のグラフから理解されるように、アスペクト比が０．１以下のサンプル１、２では、平行光束の入射角が増大するほど、光の透過率が低下していく傾向がみられた。一方、アスペクト比が０．２〜０．３程度のサンプル３〜７では、平行光束の入射角が変化しても、光の透過率はあまり変化しない傾向がみられた。また、アスペクト比が０．４〜０．５程度のサンプル８、９では、平行光束の入射角が増大するほど、光の透過率が増大していく傾向がみられた。
【００３３】
とりわけ、サンプル１、２に係る単位レンズは、入射角度０°の平行光束の透過率が１００％となっている。すなわち、サンプル１、２に係る単位レンズは、図５及び図６に示すような、光軸ｏｄに沿ってレンズ面３１０に入射する平行光束を全て透過させるレンズに対応している。図７のグラフの結果からも、光軸ｏｄに沿ってレンズ面３１０に入射する平行光束を全て透過させるレンズは、光軸ｏｄに対して傾斜した方向からレンズ面３１０に入射する平行光束を高い透過率で透過させることができないことがわかる。
【００３４】
さて、図２に戻って、単位レンズ３０は、互いに隙間をあけて第１軸方向ｄ１に配列されている。すなわち、第１軸方向ｄ１に隣り合う二つの単位レンズ３０のレンズ面３１の間には、当該二つのレンズ面３１間を接続する接続面３８が設けられている。図示された例において、接続面３８は、本体部４０のシート面に沿って延びている。複数のレンズ面３１と複数の接続面３８とによって、光制御シート２０の太陽電池パネル５０側を向く面が構成されている。光制御シート２０は、一例として、金型を用いた樹脂成型によって作製され得る。接続面３８を設けて、隣り合う単位レンズ３０の間に隙間を設けることによって、法線方向ｎｄに対して大きく傾斜した角度範囲からの光が単位レンズ３０のレンズ面３１から出射した後にその隣の単位レンズ３０で遮られてしまう問題、いわゆる「ケラレ」を減らすことができる。
【００３５】
図２に戻って、各単位レンズ３０のレンズ面３１の一部に沿って、表示要素１１が配置されている。ゆえに、複数の表示要素１１は、単位レンズ３０に対応して、単位レンズ３０の配列方向である第１軸方向ｄ１に配列されている。また、各表示要素１１は、単位レンズ３０と同様に、配列方向である第１軸方向ｄ１と交差する方向、より厳密には、第１軸方向ｄ１と直交する第２軸方向ｄ２に直線状に延びている。
【００３６】
ここで、図２に示す主切断面において、レンズ面３１の両端部のうち、第１軸方向ｄ１において一側（図示する例では、図２における上側であって、鉛直方向における上側）に位置する端部を一端部３１ａと呼び、第１軸方向ｄ１において他側（図示する例では、図２における下側であって、鉛直方向における下側）に位置する端部を他端部３１ｂと呼び、一端部３１ａ及び他端部３１ｂから本体部４０の法線方向ｎｄに沿って最も離れた地点を頂部３１ｃと呼ぶこととする。本実施の形態の頂部３１ｃは、レンズ面３１のうちの太陽電池パネル５０に最も接近した地点となる。そして、この頂部３１ｃを単位レンズ３０の光軸ｏｄが通過している。
【００３７】
さらに、図２に示す主切断面において、各レンズ面３１のうち、頂部３１ｃから第１軸方向ｄ１において一側に位置する一端部３１ａまでの領域を一側領域３２ａと呼び、頂部３１ｃから第１軸方向ｄ１おいて他側に位置する他端部３１ｂまでの領域を他側領域３２ｂと呼ぶこととする。
【００３８】
図２から理解されるように、一側領域３２ａは、第１軸方向ｄ１に沿って頂部３１ｃ側から一端部３１ａ側に向かうにつれて、本体部４０の法線方向ｎｄに沿って太陽電池パネル５０から離間していく。一方、他側領域３２ａは、第１軸方向ｄ１に沿って頂部３１ｃ側から他端部３１ｂ側に向かうにつれて、本体部４０の法線方向ｎｄに沿って太陽電池パネル５０から離間していく。
【００３９】
各表示要素１１は、対応する単位レンズ３０のレンズ面３１の一側領域３２ａの少なくとも一部を覆っている。図２に示す例では、各表示要素１１は、対応する単位レンズ３０のレンズ面３１の一側領域３２ａの全域を隙間なく覆っている。
【００４０】
その一方で、各表示要素１１は、対応する単位レンズ３０のレンズ面３１の他側領域３２ｂからずれて配置されている。すなわち、各表示要素１１は、対応する単位レンズ３０のレンズ面３１の他側領域３２ｂを覆っていない。ただし、各表示要素１１は、対応する単位レンズ３０のレンズ面３１の他側領域３２ｂの一部を覆っていてもよい。
【００４１】
また、図２及び図３に示すように、一側領域３２ａは、光軸ｏｄに沿った方向から入射する光Ｌ２１が全反射する領域ｒｓを含んでいる。すなわち、表示要素１１が配置された一側領域３２ａは、本体部４０の法線方向ｎｄに沿った方向から入射する光Ｌ２１の入射角が全反射臨界角以上となる領域を含んでいる。
【００４２】
上述のように、本実施の形態による太陽電池複合型表示体１０は、表面１０ａ側から観察されることが意図されており、各表示要素１１は、表面１０ａ側を向く面に、表示を行うための表示面１２を有している。表示要素１１がレンズ面３１の一側領域３２ａに沿って配置されていることから、表示面１２もこれに対応して、レンズ面３１の一側領域３２ａに沿って湾曲する。より詳細には、各表示面１２は、レンズ面３１の一側領域３２ａの形状に対応して、第１軸方向ｄ１において一側に位置する一端部１２ａが、第１軸方向ｄ１において他側に位置する他端部１２ｂよりも、本体部４０の法線方向ｎｄにおいて太陽電池パネル５０から離間するように、湾曲している。図２から理解されるように、このような表示面１２は、法線方向ｎｄに対して他側（下側）に傾斜した方向Ｄ２１から観察したときに、視認され易くなる。したがって、表示面１２からの表示機能は、法線方向ｎｄに対して他側に傾斜した方向Ｄ２１から観察されたときに、効果的に発揮されるようになる。
【００４３】
本実施の形態では、複数の表示面１２の組み合わせによって表示対象１３を表示する。表示対象１３としては、図形、パターン、デザイン、色彩、絵、写真、キャラクターなどの絵柄（イメージ）や、文字、マーク、数字などの情報を例示することができる。表示対象１３は、静止していても動いていてもよい。とりわけ、表示面１２に動く表示対象１３を表示する場合、太陽電池パネル５０から発電された電気を駆動に用いることが簡便である。
【００４４】
図８に、表示面１２に付与される表示対象１３の一例が示されている。複数の表示面１２は、複数の単位レンズ３０に対応して、第１軸方向ｄ１に配列されるとともに、各表示面１２は、第１軸方向ｄ１に直交する第２軸方向ｄ２に直線状に延びている。したがって、第１軸方向ｄ１における各位置に位置する表示面１２が、当該表示面１２の第１軸方向ｄ１における位置に応じた表示対象成分１３ａを付与されることによって、第２軸方向ｄ２に細長く延びる各表示面１２に形成された表示対象成分１３ａの組み合わせとして二次元的な表示対象１３を表示することが可能となる。図８に示された例では、アルファベットの大文字の「Ｎ」が表示対象１３として表示されている。このように、複数の表示対象成分１３ａの組み合わせとして表示対象１３を表示することで、各表示面１２および各単位レンズ３０のサイズを小さくできるため、太陽電池複合型表示体１０のコンパクト化の点で有利である。
【００４５】
なお、図８において、表示対象１３としての「Ｎ」の文字が途切れた態様で表示され連続して繋がった画素の組み合わせとして表示されていない。しかしながら、各表示対象成分１３ａ並びに隣り合う各表示対象成分１３ａの間の間隔は、十分に小さく設定されており、肉眼においては、表示対象１３としての「Ｎ」の文字が連続して繋がった画素として視認され得る点に留意されたい。
【００４６】
さて、図２に戻って、レンズ面３１の他側領域３２ｂは、表示要素１１によって覆われていない。このため、他側領域３２ｂに入射した光Ｌ２３は、当該他側領域３２ｂを屈折しながら透過して、太陽電池パネル５０に向かっていく。すなわち、レンズ面３１のうちの表示要素１１に覆われていない領域３２ｂは、入射する光Ｌ２３を太陽電池パネル５０の入光面５０ａに導く光透過領域として機能する。
【００４７】
太陽電池パネル５０の入光面５０ａで受光された光Ｌ２３は、太陽電池パネル５０に含まれる太陽電池素子にて発電に利用される。この太陽電池パネル５０は、単位レンズ３０に対向し、且つ、当該単位レンズ３０から離間して配置されている。
【００４８】
図２に示すように、太陽電池パネル５０は、第１軸方向ｄ１に配列された複数の単位レンズ３０に対向して、平面状に延び広がっている。図示された例において、太陽電池パネル５０は、本体部４０のシート面、言い換えると、太陽電池複合型表示体１０のパネル面と平行に延びている。したがって図示された例では、太陽電池パネル５０は、単位レンズ３０の配列方向である第１軸方向ｄ１と平行に延び広がり、且つ、単位レンズ３０の長手方向である第２軸方向ｄ２とも平行に延び広がっている。なお、太陽電池パネル５０として、種々の既知な部材を用いることができ、特に限定されない。
【００４９】
とりわけ、図２に示す主切断面において、太陽電池パネル５０は、単位レンズ３０の光軸ｏｄに沿って入射する平行光束Ｌ２２が収束する焦点ｆｐよりも、単位レンズ３０から離間した位置に配置されている。このような配置によれば、太陽電池複合型表示体１０に入射して太陽電池パネル５０に向かう平行光束Ｌ２２が、集光領域に集光した後に拡がった状態で太陽電池パネル５０に到達する。このため、太陽電池複合体１０に入射する平行光束Ｌ２２を、太陽電池パネル５０の広い領域に到達させることに寄与する。
【００５０】
なお、図２に示す例では、太陽電池パネル５０は、空気層を介して光制御シート２０から離間して配置された例を示しているが、このような例に限定されない。例えば、太陽電池パネル５０は、単位レンズ３０をなす樹脂材料よりも低い屈折率をもつ低屈折率層を介して光制御シート２０に接合されていてもよい。
【００５１】
次に、上述してきた太陽電池複合型表示体１０の製造方法の一例について、主として図１１及び図１２を参照しながら説明する。
【００５２】
まず、図１１に示すように、透明樹脂を成型することにより、本体部４０及び単位レンズ３０を作製する。成型は、熱溶融押出加工や射出成型等を採用することができる。次に、図１２に示すように、単位レンズ３０のレンズ面３１に表示要素１１を配置する。一例として、インクジェット印刷によって、レンズ面３１に表示要素１１を配置することができる。その後、単位レンズ３０に向き合うように太陽電池パネル５０を設置する。これにより、太陽電池複合型表示体１０が得られる。
【００５３】
このようにして得られる太陽電池複合型表示体１０は、様々な用途で利用可能であり、例えば、屋外看板、道路情報掲示板、建築物の外壁面などで用いられる数ｍ〜数十ｍサイズの大型パネル用途や、ポスター、標識、建築物の内壁面などで用いられる数十ｃｍ〜数ｍサイズの中型パネル用途や、卓上スタンド、携帯端末などで用いられる数ｃｍ〜数十ｃｍの小型パネル用途などを例示することができる。
【００５４】
次に、主として、図９及び図１０を参照しながら、太陽電池複合型表示体１０の作用について説明する。太陽電池複合型表示体１０は、例えば、単位レンズ３０の配列方向である第１軸方向ｄ１が鉛直方向に沿うようにして、配置される。具体的には、第１軸方向ｄ１における一側が、鉛直方向における上側に沿い、第１軸方向ｄ１における他側が、鉛直方向における下側に沿うように、太陽電池複合型表示体１０が配置される。
【００５５】
図９によく示されているように、レンズ面３１の一側領域３２ａに配置された表示要素１１の表示面１２は、当該表示面１２の正面方向から視認され易い。図９に示す例では、表示面１２がその一端部１２ａが他端部１２ｂよりも太陽電池パネル５０から離間するように湾曲しているため、法線方向ｎｄに対して第１軸方向ｄ１における他側に傾斜した第１角度範囲ＡＲ１内の方向Ｄ９１、Ｄ９２、Ｄ９３から太陽電池複合型表示体１０を観察したときに表示面１２を視認し易くなる。したがって、観察者は、法線方向ｎｄに対して第１軸方向ｄ１における他側に傾斜した方向Ｄ９１、Ｄ９２、Ｄ９３から太陽電池複合型表示体１０を観察したときに、優れた視認性で表示対象１３を観察することができる。
【００５６】
一方、表示面１２を視認し易い方向Ｄ９１、Ｄ９２、Ｄ９３とは異なる方向から太陽電池複合型表示体１０に入射する光Ｌ１０１、Ｌ１０２、Ｌ１０３すなわち、法線方向ｎｄに対して第１軸方向ｄ１における一側に傾斜した方向から太陽電池複合型表示体１０に入射する光Ｌ１０１、Ｌ１０２、Ｌ１０３は、表示面１２に入射し難い。これら表示面１２に入射しなかった光Ｌ１０１、Ｌ１０２、Ｌ１０３は、主として表示要素１１に覆われていない他側領域３２ｂに入射し、レンズ作用により屈折されながら他側領域３２ｂを透過し、太陽電池パネル５０に向かっていく。このように、表示面１２を視認し易い方向Ｄ９１、Ｄ９２、Ｄ９３とは異なる方向となる第２角度範囲ＡＲ２から太陽電池複合型表示体１０に入射する光Ｌ１０１、Ｌ１０２、Ｌ１０３を、主として太陽電池パネル５０に向けて透過させることで、表示機能と発電機能の両立を図ることが可能となる。
【００５７】
とりわけ、太陽の高度は季節や時間帯に応じて変化するが、日中の太陽の高度は例えば３０°〜６０°の範囲内にあることが多い。このため、太陽電池複合型表示体１０に降り注ぐ太陽光Ｌ１０１、Ｌ１０２、Ｌ１０３は、水平面に対して上方に傾斜した方向、すなわち、本体部４０の法線方向ｎｄに対して上方に傾斜した方向から主としてレンズ面３１に入射する。この点、本実施の形態による単位レンズ３０は、本体部４０の法線方向ｎｄに沿ってレンズ面３１に入射する光束Ｌ１０４よりも、本体部４０の法線方向ｎｄに対して傾斜した方向からレンズ面３１に入射する光束Ｌ１０１、Ｌ１０２、Ｌ１０３を高い透過率で透過させるようになっている。このため、本体部４０の法線方向ｎｄに対して傾斜した方向からレンズ面３１に入射する日中の太陽光Ｌ１０１、Ｌ１０２、Ｌ１０３を相対的に高い透過率で透過させることができ、全体として太陽電池パネル５０に多くの光を導くことができる。
【００５８】
ただし、早朝や日没の時間帯の太陽光Ｌ１０４は、あまり長い時間は占めないものの、概ね水平方向から太陽電池複合型表示体１０に入射する。このような太陽光Ｌ１０４の一部は、レンズ面３１にて全反射してしまう。このため、概ね水平方向から太陽電池複合型表示体１０に入射する太陽光Ｌ１０４を、有効に活用できないようにも思える。しかしながら、本実施の形態では、レンズ面３１の一部に沿って表示面１２が配置されているため、仮にレンズ面３１が全ての光を透過させたとしても、レンズ面３１を透過すべき一部の光は表示面１２に遮られてしまう。この点、本実施の形態では、このレンズ面３１を透過すべき光を遮ってしまう表示面１２が配置される領域を、水平方向からレンズ面３１に入射する光Ｌ１０４を全反射させてしまう領域ｒｓに対応させている。このため、水平方向からレンズ面３１に入射する光Ｌ１０４を遮ってしまう領域を最小限に抑えることができ、全体として太陽光Ｌ１０１〜Ｌ１０４の有効利用を図ることが可能となる。
【００５９】
以上のように、本実施の形態による太陽電池複合型表示体１０によれば、第１面４０ａ及び第１面４０ａに対向する第２面４０ｂを有するシート状の本体部４０と、一軸方向ｄ１に沿って本体部４０の第２面４０ｂに配列され、本体部４０とは反対側を向く面にレンズ面３１を形成する複数の単位レンズ３０と、複数の単位レンズ３０が配列された本体部４０の第２面４０ｂに対向して配置された太陽電池パネル５０と、本体部４０または単位レンズ３０のレンズ面３１に一軸方向ｄ１に沿って配列された複数の表示面１２と、を備え、表示面１２は、一軸方向ｄ１及び本体部４０の法線方向ｎｄの両方に平行な主切断面において、太陽電池パネル５０のパネル面に対して傾斜し、第１角度範囲ＡＲ１から太陽電池複合型表示体１０に入射する光が表示面１２に到達し、第１角度範囲ＡＲ１とは異なる第２角度範囲ＡＲ２から太陽電池複合型表示体１０に入射した光が、単位レンズ３０及び隣り合う２つの表示面１２の間を通過して太陽電池パネル５０に到達する。このような形態によれば、表示面１２が太陽電池パネル５０のパネル面に対して傾斜しているため、傾斜した表示面１２がその正面方向となる方向Ｄ２１、Ｄ９１〜Ｄ９３から観察され易くなる。一方、表示面１２を視認し易い方向Ｄ２１、Ｄ９１〜Ｄ９３とは異なる別の方向から太陽電池複合型表示体１０に入射する光束Ｌ２３、Ｌ１０１〜Ｌ１０３は、隣り合う２つの表示面１２の間を透過して太陽電池パネル５０に導かれる。このように、観察者からの観察方向Ｄ２１、Ｄ９１〜Ｄ９３と外光Ｌ２３、Ｌ１０１〜Ｌ１０３の入射方向との相違を利用して、周囲の環境との調和を図ると共に、表示面１２による表示及び太陽電池パネル５０による発電の両立が効果的に可能となる。その上、太陽電池パネル５０が本体部４０の第２面４０ｂに対向して配置されているため、太陽電池パネル５０の受光面５０ａが外部に露出していない。このため、太陽電池パネル５０をさらに目立たなくさせることができる。
【００６０】
その上、単位レンズ３０は、第２角度範囲ＡＲ２内から太陽電池複合型表示体１０に入射する平行光束Ｌ２３であって、本体部４０の法線方向ｎｄに対して傾斜した或る方向からレンズ面３１に入射する平行光束Ｌ２３を、本体部４０の法線方向ｎｄに沿った方向からレンズ面３１に入射する平行光束Ｌ２２よりも高い透過率で、透過させる。太陽光Ｌ２２、Ｌ２３が全体としてみたときに本体部４０の法線方向ｎｄに対して傾斜した方向からレンズ面３１に入射する割合が多いように、太陽電池複合型表示体１０が設置される場合、レンズ面３１に入射する太陽光Ｌ２３を相対的に高い透過率で太陽電池パネル５０に導くことができ、全体として太陽電池パネル５０の発電量を高めることができる。
【００６１】
また、単位レンズ３０は、本体部４０の法線方向ｎｄに沿った方向からレンズ面３１に入射する平行光束Ｌ２２の一部を、全反射させる。このようなレンズ面３１の設計とすることで、本体部４０の法線方向ｎｄに対して傾斜した方向からレンズ面３１に入射する太陽光Ｌ２３を高い透過率で透過させるようにレンズ面３１を最適化することができる。この結果、全体としてみたときに、レンズ面３１に入射する太陽光Ｌ２３を相対的に高い透過率で太陽電池パネル５０に導くことができ、太陽電池パネル５０の発電量を高めることができる。
【００６２】
あるいは、本実施の形態によれば、第１面４０ａ及び第１面４０ａに対向する第２面４０ｂを有するシート状の本体部４０と、一軸方向ｄ１に沿って本体部４０の第２面４０ｂに配列され、本体部４０とは反対側を向く面にレンズ面３１を形成する複数の単位レンズ３０と、複数の単位レンズ３０が配列された本体部４０の第２面４０ｂに対向して配置された太陽電池パネル５０と、各々に対応する単位レンズ３０のレンズ面３１の一部に沿って配置された複数の表示面１２と、を備える。このような形態によれば、太陽電池パネル５０の前面に複数の表示面１２が配置されているため、太陽電池パネル５０を目立たなくさせることができる。その一方で、各表示面１２は対応するレンズ面３１の一部に沿って配置されているため、表示面１２に遮られなかった外光Ｌ２２、Ｌ２３は、レンズ面３１にて進行方向を調整されながら太陽電池パネル５０に向かっていく。これにより、表示面１２に遮られなかった外光Ｌ２２、Ｌ２３をレンズ効果を利用しながら太陽電池パネル５０による発電に有効に活用することができる。このようにして、本実施の形態によれば、太陽電池パネル５０を目立たなくすることで周囲の環境との調和を図ると共に、表示面１２による表示及び太陽電池パネル５０による発電の両立を図ることが可能となる。その上、各単位レンズ３０のレンズ面３１の一部に表示面１２を配置することで実現することができるため、太陽電池複合型表示体１０の製造が容易である。
【００６３】
その上、本実施の形態によれば、レンズ面３１のうちの表示面１２が配置された領域は、本体部４０の法線方向ｎｄに沿った方向から入射する光Ｌ２１の入射角が全反射臨界角以上となる領域ｒｓを含んでいる。このような形態によれば、レンズ面３１を透過すべき光を遮ってしまう表示面１２が配置される領域を、本体部４０の法線方向ｎｄに沿った方向からレンズ面３１に入射する光Ｌ１０４を全反射させてしまう領域ｒｓに対応させることができる。このため、本体部４０の法線方向ｎｄに沿った方向からレンズ面３１に入射する光Ｌ１０４を遮ってしまう領域を最小限に抑えることができ、全体として太陽光Ｌ１０１〜Ｌ１０４の有効利用を図ることが可能となる。
【００６４】
また、本実施の形態によれば、一軸方向ｄ１及び本体部４０の法線方向ｎｄの両方に平行な断面において、レンズ面３１のうち、当該レンズ面３１の頂部３１ｃから一軸方向ｄ１において一側に位置する一端部３１ａまでの領域を一側領域３２ａとし、頂部３１ｃから一軸方向ｄ１おいて他側に位置する他端部３１ｂまでの領域を他側領域３２ｂとすると、各表示面１２は、対応する単位レンズ３０のレンズ面３１の一側領域３２ａの少なくとも一部を覆っている。この場合、一側領域３２ａは、本体部４０の法線方向ｎｄに対して一軸方向ｄ１において他側に傾斜した方向Ｄ２１、Ｄ９１〜Ｄ９３から太陽電池複合型表示体１０を観察したときに観察し易い。したがって、一軸方向ｄ１において他側に傾斜した方向Ｄ２１、Ｄ９１〜Ｄ９３から太陽電池複合型表示体１０を観察したときに、一側領域３２ａに配置された表示面１２を視認し易くすることができる。
【００６５】
とりわけ、本実施の形態によれば、各表示面１２は、対応する単位レンズ３０のレンズ面３１の他側領域３２ｂからずれて配置されている。この場合、他側領域３２ｂには、本体部４０の法線方向ｎｄに対して一軸方向ｄ１において一側に傾斜した方向からの光Ｌ２３が入射し易い。したがって、他側領域３２ｂに表示面１２を配置しないことにより、一軸方向ｄ１において一側に傾斜した方向から太陽電池複合型表示体１０に入射する光Ｌ２３を太陽電池パネル５０に導き易くなる。このように、観察者からの観察方向Ｄ２１と外光Ｌ２３の入射方向との相違を利用することで、表示面１２による表示及び太陽電池パネル５０による発電の両立を一層図ることが可能となる。
【００６６】
とりわけ、本実施の形態による太陽電池複合体１０では、単位レンズ３０の配列方向である一軸方向ｄ１が鉛直方向に沿い、一軸方向ｄ１における一側が上側に対応し、一軸方向ｄ１における他側が下側に対応している。このような設置の仕方は、典型的な利用として想定される表示板としての用途において太陽電池複合体１０を目線よりも高い位置に設置する場合に好適である。観察者は、鉛直方向における上側に見上げながら太陽電池複合体１０を観察することから、一側領域３２ａに配置された表示面１２を視認し易い。一方、太陽光は、時間帯や季節に応じて入射方向が変化するが、鉛直方向における下側に傾斜した方向に進みながら太陽電池複合型表示体１０に入射する。このため、太陽光は、時間帯や季節に応じて入射方向が変化しても、鉛直方向における下側に傾斜した方向から太陽電池複合型表示体１０に入射し主としてレンズ面３１を透過して太陽電池パネル５０に向かうことができる。したがって、このような形態によれば、表示面１２による表示及び太陽電池パネル５０による発電を効果的に両立させることができる。
【００６７】
ところで、下記の表２は、世界の幾つかの国の主要な都市における季節ごとの南中高度（°）を示している。使用が想定される国の主要な都市における春分秋分の南中高度が第２角度範囲ＡＲ２に含まれることが好ましい。その国で有効に使用できる可能性が高いからである。例えば、使用されることが想定される国が日本の場合は５４°から５６°までの高度が第２角度範囲ＡＲ２に含まれるようにすればよい。さらに、４９°から６１°までの高度が第２角度範囲ＡＲ２に含まれるようにすれば、世界の多くの国で有効に使用できる可能性が高いため、好ましい。また、使用が想定される国の主要な都市における夏至の南中高度から冬至の南中高度までが第２角度範囲ＡＲ２に含まれることがさらに好ましい。その国で一年を通して有効に使用できる可能性が高いからである。例えば、使用されることが想定される国が日本の場合は３１°から７９°までの高度が第２角度範囲ＡＲ２に含まれるようにすればよい。さらに、２５°から８４°までの高度が第２角度範囲ＡＲ２に含まれるようにすれば、世界の多くの国で有効に使用できる可能性が高いため、好ましい。なお、所望の高度が第２角度範囲ＡＲ２に含まれることを容易にするために、第２角度範囲ＡＲ２の角度範囲が４５°程度以上連続していることが好ましい。もっとも、太陽電池複合型表示体１０を傾けて配置することによって、所望の高度を第２角度範囲ＡＲ２に含まれるようにすることも可能である。一方、第２角度範囲ＡＲ２の角度範囲の上限については、第１角度範囲ＡＲ１とのバランスで適宜設定すればよいが、１３５°程度未満とすることによって、本実施の形態の太陽電池複合型表示体１０の特長をより発揮させることができる。
【００６８】
【表２】
0006551050.tif 000003
【００６９】
なお、上述した実施の形態では、図２に示すように、各単位レンズ３０が本体部４０の法線方向ｎｄに向かって突出した凸レンズからなる例を示したが、単位レンズ３０の形態は、このような例に限定されない。各単位レンズ３０は、本体部４０の法線方向ｎｄに向かって凹んだ凹レンズであってもよい。
【００７０】
また、上述した太陽電池複合型表示体１０は、本体部４０の周りに配置された反射層７０をさらに有していてもよい。図１３に、太陽電池複合型表示体１０が反射層７０をさらに有する例を示す。図１３に示すように、本体部４０は、第１面４０ａと第２面４０ｂとの間を延びる側面４０ｃを有し、この側面４０ｃの少なくとも一部に、反射層７０が設けられている。
【００７１】
側面４０ｃは、第１軸方向ｄ１に対向する一対の上側面４０ｄ及び下側面４０ｅと、第２軸方向ｄ２に対向する一対の横側面４０ｆと、を含んでいる（図１も参照）。そして、反射層７０は、側面４０ｃを構成する４つの面４０ｄ〜４０ｆの全域を覆っている。このような反射層７０は、一例として、高い反射率を有した材料からなる薄膜によって形成され得る。
【００７２】
反射層７０によれば、太陽電池複合型表示体１０に入射した太陽光が本体部４０の側面４０ｃから漏れ出すことを妨げ本体部４０内を進行するように戻すことができるため、太陽光の利用効率を高めることができる。
【００７３】
≪第２の実施の形態≫
次に、図１４を参照して、第２の実施の形態について説明する。図１４は、第２の実施の形態における太陽電池複合型表示体１０を示す断面図である。図１４を参照して説明する第２の実施の形態は、単位レンズ３０の配置が異なるが、その他の構成は、第１の実施形態及びその変形例と同様に構成することができる。第２の実施の形態に関する以下の説明および以下の説明で用いる図面では、上述した第１の実施の形態及びその変形例と同様に構成され得る部分について、上述の形態における対応する部分に対して用いた符号と同一の符号を用いることとし、重複する説明を省略する。
【００７４】
図１４に示す第２の実施の形態において、複数の単位レンズ３０は、本体部４０の第１面４０ａに配列され、本体部４０の第２面４０ｂが太陽電池パネル５０と向き合っている。ただし、第２の実施の形態において、単位レンズ３０の配列方向である一軸方向ｄ１が鉛直方向に沿っているが、第１の実施の形態とは異なり一軸方向ｄ１における一側が下側に対応し、一軸方向ｄ１における他側が上側に対応している。
【００７５】
各単位レンズ３０のレンズ面３１の一部に沿って、表示要素１１が配置されている。図８に示す例では、表示要素１１は、レンズ面３１の一側領域３２ａを覆うように配置されており、他側領域３２ｂを覆っていない。なお、図８から理解されるように、一側領域３２ａは、第１軸方向ｄ１に沿って頂部３１ｃ側から一端部３１ａ側に向かうにつれて、本体部４０の法線方向ｎｄに沿って太陽電池パネル５０に接近していく。一方、他側領域３２ｂは、第１軸方向ｄ１に沿って頂部３１ｃ側から他端部３１ｂ側に向かうにつれて、本体部４０の法線方向ｎｄに沿って太陽電池パネル５０に接近していく。
【００７６】
各表示要素１１は、表面１０ａ側を向く面に、表示を行うための表示面１２を有している。表示要素１１がレンズ面３１の一側領域３２ａに沿って配置されていることから、表示面１２もこれに対応して、レンズ面３１の一側領域３２ａに沿って湾曲する。より詳細には、各表示面１２は、レンズ面３１の一側領域３２ａの形状に対応して、第１軸方向ｄ１において一側に位置する一端部１２ａが、第１軸方向ｄ１において他側に位置する他端部１２ｂよりも、本体部４０の法線方向ｎｄにおいて太陽電池パネル５０に接近するように、湾曲している。図１４から理解されるように、このような表示面１２は、法線方向ｎｄに対して一側（下側）に傾斜した方向Ｄ１４１から観察したときに、視認され易くなる。
【００７７】
一方、表示面１２を視認し易い方向Ｄ１４１とは異なる方向から太陽電池複合型表示体１０に入射する光Ｌ１４３、すなわち、法線方向ｎｄに対して第１軸方向ｄ１における他側（上側）に傾斜した方向から太陽電池複合型表示体１０に入射する光Ｌ１４３は、表示面１２に入射し難い。これら表示面１２に入射し難い光Ｌ１４３は、主として表示要素１１に覆われていない他側領域３２ｂに入射し、レンズ作用により屈折されながら他側領域３２ｂを透過し、太陽電池パネル５０に向かっていく。このように、表示面１２を視認し易い方向Ｄ１４１とは異なる方向から太陽電池複合型表示体１０に入射する光Ｌ１４３を、太陽電池パネル５０に向けて透過させることで、表示機能と発電機能の両立を図ることが可能となる。
【００７８】
以上のように、本実施の形態によれば、第１面４０ａ及び第１面４０ａに対向する第２面４０ｂを有するシート状の本体部４０と、一軸方向ｄ１に沿って本体部４０の第１面４０ａに配列され、本体部４０とは反対側を向く面にレンズ面３１を形成する複数の単位レンズ３０と、本体部４０の第２面４０ｂに対向して配置された太陽電池パネル５０と、本体部４０または単位レンズ３０のレンズ面３１に一軸方向ｄ１に沿って配列された複数の表示面１２と、を備え、表示面１２は、一軸方向ｄ１及び本体部４０の法線方向ｎｄの両方に平行な主切断面において、太陽電池パネル５０のパネル面に対して傾斜し、第１角度範囲ＡＲ１から太陽電池複合型表示体１０に入射する光が表示面１２に到達し、第１角度範囲ＡＲ１とは異なる第２角度範囲ＡＲ２から太陽電池複合型表示体１０に入射した光が、単位レンズ３０及び隣り合う２つの表示面１２の間を通過して太陽電池パネル５０に到達する。このような形態によれば、表示面１２が太陽電池パネル５０のパネル面に対して傾斜しているため、傾斜した表示面１２がその正面方向となる方向Ｄ１４１から観察され易くなる。一方、表示面１２を視認し易い方向Ｄ１４１とは異なる別の方向から太陽電池複合型表示体１０に入射する光束Ｌ１４３は、隣り合う２つの表示面１２の間を透過して太陽電池パネル５０に導かれる。このように、観察者からの観察方向Ｄ１４１と外光Ｌ１４３の入射方向との相違を利用して、周囲の環境との調和を図ると共に、表示面１２による表示及び太陽電池パネル５０による発電の両立が効果的に可能となる。その上、太陽電池パネル５０が本体部４０の第２面４０ｂに対向して配置されているため、太陽電池パネル５０の受光面５０ａが外部に露出していない。このため、太陽電池パネル５０をさらに目立たなくさせることができる。
【００７９】
その上、単位レンズ３０は、第２角度範囲ＡＲ２内から太陽電池複合型表示体１０に入射する平行光束Ｌ１４３であって、本体部４０の法線方向ｎｄに対して傾斜した或る方向からレンズ面３１に入射する平行光束Ｌ１４３を、本体部４０の法線方向ｎｄに沿った方向からレンズ面３１に入射する平行光束Ｌ１４２よりも高い透過率で、透過させる。太陽光Ｌ１４２、Ｌ１４３が全体としてみたときに本体部４０の法線方向ｎｄに対して傾斜した方向からレンズ面３１に入射する割合が多くなるように、太陽電池複合型表示体１０が設置される場合、全体としてみたときに、レンズ面３１に入射する太陽光Ｌ１４３を相対的に高い透過率で太陽電池パネル５０に導くことができ、太陽電池パネル５０の発電量を高めることができる。
【００８０】
また、単位レンズ３０は、本体部４０の法線方向ｎｄに沿った方向からレンズ面３１に入射する平行光束Ｌ１４２の一部を、全反射させる。このようなレンズ面３１の設計とすることで、本体部４０の法線方向ｎｄに対して傾斜した方向からレンズ面３１に入射する太陽光Ｌ１４３を高い透過率で透過させるようにレンズ面３１を最適化することができる。この結果、全体としてみたときに、レンズ面３１に入射する太陽光Ｌ１４３を相対的に高い透過率で太陽電池パネル５０に導くことができ、太陽電池パネル５０の発電量を高めることができる。
【００８１】
あるいは、本実施の形態によれば、第１面４０ａ及び第１面４０ａに対向する第２面４０ｂを有するシート状の本体部４０と、一軸方向ｄ１に沿って本体部４０の第１面４０ａに配列され、本体部４０とは反対側を向く面にレンズ面３１を形成する複数の単位レンズ３０と、本体部４０の第２面４０ｂに対向して配置された太陽電池パネル５０と、各々に対応する単位レンズ３０のレンズ面３１の一部に沿って配置された複数の表示面１２と、を備える、太陽電池複合型表示体１０が提供される。このような形態によれば、太陽電池パネル５０の前面に複数の表示面１２が配置されているため、太陽電池パネル５０を目立たなくさせることができる。その一方で、各表示面１２は対応するレンズ面３１の一部に沿って配置されているため、表示面１２に遮られなかった外光Ｌ１４２、Ｌ１４３は、レンズ面３１にて進行方向を調整されながら太陽電池パネル５０に向かっていく。これにより、表示面１２に遮られなかった外光Ｌ１４２、Ｌ１４３をレンズ効果を利用しながら太陽電池パネル５０による発電に有効に活用することができる。このようにして、本実施の形態によれば、太陽電池パネル５０を目立たなくすることで周囲の環境との調和を図ると共に、表示面１２による表示及び太陽電池パネル５０による発電の両立を図ることが可能となる。その上、各単位レンズ３０のレンズ面３１の一部に表示面１２を配置することで実現することができるため、太陽電池複合型表示体１０の製造が容易である。
【００８２】
その上、本実施の形態によれば、レンズ面３１のうちの表示面１２が配置された領域は、本体部４０の法線方向ｎｄに沿った方向から入射する光Ｌ１４２の入射角が全反射臨界角以上となる領域ｒｓを含んでいる。このような形態によれば、レンズ面３１を透過すべき光を遮ってしまう表示面１２が配置される領域を、本体部４０の法線方向ｎｄに沿った方向からレンズ面３１に入射する光Ｌ１４２を全反射させてしまう領域ｒｓに対応させることができる。このため、本体部４０の法線方向ｎｄに沿った方向からレンズ面３１に入射する光Ｌ１４２を遮ってしまう領域を最小限に抑えることができ、全体として太陽光Ｌ１４２、Ｌ１４３の有効利用を図ることが可能となる。
【００８３】
また、本実施の形態によれば、各表示面１２は、対応する単位レンズ３０のレンズ面３１の一側領域３２ａの少なくとも一部を覆っている。この場合、一側領域３２ａは、本体部４０の法線方向ｎｄに対して一軸方向ｄ１において一側に傾斜した方向Ｄ１４１から太陽電池複合型表示体１０を観察したときに観察し易い。したがって、一軸方向ｄ１において一側に傾斜した方向Ｄ１４１から太陽電池複合型表示体１０を観察したときに、一側領域３２ａに配置された表示面１２を視認し易くすることができる。
【００８４】
とりわけ、本実施の形態によれば、各表示面１２は、対応する単位レンズ３０のレンズ面３１の他側領域３２ｂからずれて配置されている。この場合、他側領域３２ｂには、本体部４０の法線方向ｎｄに対して一軸方向ｄ１において他側に傾斜した方向からの光Ｌ１３３が入射し易い。したがって、他側領域３２ｂに表示面１２を配置しないことにより、一軸方向ｄ１において他側に傾斜した方向から太陽電池複合型表示体１０に入射する光Ｌ１３３を太陽電池パネル５０に導き易くなる。このように、観察者からの観察方向Ｄ１３１と外光Ｌ１３３の入射方向との相違を利用することで、表示面１２による表示及び太陽電池パネル５０による発電の両立を一層図ることが可能となる。
【００８５】
とりわけ、本実施の形態による太陽電池複合体１０では、単位レンズ３０の配列方向である一軸方向ｄ１が鉛直方向に沿い、一軸方向ｄ１における一側が下側に対応し、一軸方向ｄ１における他側が上側に対応している。このような設置の仕方は、典型的な利用として想定される表示板としての用途において太陽電池複合体１０を目線よりも高い位置に設置する場合に好適である。観察者は、鉛直方向における上側に見上げながら太陽電池複合体１０を観察することから、一側領域３２ａに配置された表示面１２を視認し易い。一方、太陽光Ｌ１４３は、時間帯や季節に応じて入射方向が変化するが、鉛直方向における下側に傾斜した方向に進みながら太陽電池複合型表示体１０に入射する。このため、太陽光Ｌ１４３は、時間帯や季節に応じて入射方向が変化しても、鉛直方向における下側に傾斜した方向から太陽電池複合型表示体１０に入射し主としてレンズ面３１を透過して太陽電池パネル５０に向かうことができる。したがって、このような形態によれば、表示面１２による表示及び太陽電池パネル５０による発電を効果的に両立させることができる。
【００８６】
また、本実施の形態によれば、本体部４０の法線方向ｎｄおよび一軸方向ｄ１の両方に平行な断面において、太陽電池パネル５０は、単位レンズ３０の光軸ｏｄに沿って入射する平行光束Ｌ１４２が収束する焦点ｆｐよりも、単位レンズ３０から離間した位置に配置されている。このような配置によれば、太陽電池複合型表示体１０に入射して太陽電池パネル５０に向かう平行光束Ｌ１４２、Ｌ１４３が、集光領域に集光した後に拡がった状態で太陽電池パネル５０に到達する。このため、太陽電池複合体１０に入射する平行光束Ｌ１４２、Ｌ１４３を、太陽電池パネル５０の広い領域に到達させることに寄与する。
【００８７】
≪第３の実施の形態≫
次に、図１５及び図１６を参照して、第３の実施の形態について説明する。図１５及び図１６は、それぞれ、第３の実施の形態における太陽電池複合型表示体１０を示す斜視図及び断面図である。図１５及び図１６を参照して説明する第３の実施の形態は、表示面１２の配置が異なるが、その他の構成は、第１の実施形態及びその変形例と同様に構成することができる。第３の実施の形態に関する以下の説明および以下の説明で用いる図面では、上述した第１の実施の形態及びその変形例と同様に構成され得る部分について、上述の形態における対応する部分に対して用いた符号と同一の符号を用いることとし、重複する説明を省略する。
【００８８】
図１５および図１６に示すように、太陽電池複合型表示体１０は、シート状の本体部４０と、本体部４０の第２面４０ｂに対向して配置された太陽電池パネル５０と、を有する。
【００８９】
本体部４０の第１面４０ａには、複数の単位レンズ３０が第１軸方向ｄ１に配列されている。複数の単位レンズ３０は、その光軸ｏｄが互いに平行となるようにして、並べられている。とりわけ図示された例において、単位レンズ３０は、その光軸ｏｄが、太陽電池複合型表示体１０の法線方向ｎｄと平行となるよう配置されている。また、第１軸方向ｄ１は、太陽電池複合型表示体１０のパネル面に沿っており、太陽電池複合型表示体１０の法線方向ｎｄに直交している。
【００９０】
単位レンズ３０は、いわゆるレンチキュラーレンズまたはシリンドリカルレンズを構成している。すなわち、各単位レンズ３０は、その配列方向である第１軸方向ｄ１に対して交差する方向、より詳細には第１軸方向ｄ１に直交する第２方向ｄ２に、直線状に延びている。また、単位レンズ３０は、本体部４０とは反対側を向く表面に凸レンズ状のレンズ面３１を形成している。
【００９１】
複数の表示面１２が、単位レンズ３０に対応して、本体部４０内で第１軸方向ｄ１に沿って配列されている。図１６に示すように、各表示面１２は、対応する単位レンズ３０と法線方向ｎｄに沿って少なくとも部分的に対面するようにして、配置されている。本実施の形態では、表示面１２は、単位レンズ３０と同様に、配列方向である第１軸方向ｄ１と交差する方向、より厳密には、第１軸方向ｄ１と直交する第２方向ｄ２に直線状に延びている。また、各表示面１２は、太陽電池パネル５０のパネル面及び本体部４０の法線方向ｎｄに対して傾斜している。
【００９２】
次に、本実施の形態による太陽電池複合型表示体１０の作用について説明する。太陽電池複合型表示体１０は、例えば、単位レンズ３０の配列方向である第１軸方向ｄ１が鉛直方向に沿うようにして、配置される。また、表示面１２の第１軸方向ｄ１における一側に位置する一端部１２ａが、鉛直方向における上側に位置し、表示面１２の第１軸方向ｄ１における他側に位置する他端部１２ｂが、鉛直方向における下側に位置するように、太陽電池複合型表示体１０が配置される。
【００９３】
図１６によく示されているように、傾斜した表示面１２は、当該表示面１２の正面方向から視認され易い。本実施の形態では、表示面１２が単位レンズ３０の光軸ｏｄに対して第１軸方向ｄ１における一側に傾斜しているため、当該光軸ｏｄに対して第１軸方向ｄ１における他側に傾斜した方向Ｄ１６１、Ｄ１６２から太陽電池複合型表示体１０を観察したときに表示面１２を視認し易くなる。とりわけ、光軸ｏｄに対して第１軸方向ｄ１における他側に大きく傾斜した方向Ｄ１６２から太陽電池複合型表示体１０を観察した場合であっても、レンズ面３１の集光作用によって、入射した単位レンズ３０に対向する表示面１２を観察することができるようになる。仮に、複数の表示面１２が本体部４０の第２面４０ｂ上に、当該第２面４０ｂに沿って並べられていた場合、図１６に点線で示すように、観察する単位レンズ３０と隣り合う単位レンズ３０に対向する表示面１２を観察してしまい、意図された表示機能が発現されなくおそれがある。すなわち、表示面１２を太陽電池パネル５０のパネル面に対して傾斜させることにより、表示面１２が観察される視野角となる第１角度範囲ＡＲ１を、言い換えると、表示面１２からの光の出射方向の角度範囲である第１角度範囲ＡＲ１を、高い自由度で調整することができる。
【００９４】
一方、表示面１２に対してなす角度がより小さい方向から本体部４０内を進行する光束Ｌ１６４ほど、表示面１２に受光され難い。このことから、傾斜した表示面１２に遮られずに太陽電池パネル５０に向かう光束Ｌ１６４は、図１６に示すように、表示面１２を有効に観察し得る方向Ｄ１６１、Ｄ１６２とは逆側に傾斜した光束Ｌ１６４となる。つまり、第１軸方向ｄ１において他側に進みながら単位レンズ３０へ入射する光、図示する例では、鉛直方向における下方に進みながら単位レンズ３０へ入射する光束Ｌ１６４が、２つの表示面１２の間となる領域６０を通過して太陽電池パネル５０に導かれ易くなる。
【００９５】
以上のように、本実施の形態によれば、第１面４０ａ及び第１面４０ａに対向する第２面４０ｂを有するシート状の本体部４０と、一軸方向ｄ１に沿って本体部４０の第１面４０ａに配列され、本体部４０とは反対側を向く面にレンズ面３１を形成する複数の単位レンズ３０と、本体部４０の第２面４０ｂに対向して配置された太陽電池パネル５０と、本体部４０または単位レンズ３０のレンズ面３１に一軸方向ｄ１に沿って配列された複数の表示面１２と、を備え、表示面１２は、一軸方向ｄ１及び本体部４０の法線方向ｎｄの両方に平行な主切断面において、太陽電池パネル５０のパネル面に対して傾斜し、第１角度範囲ＡＲ１から太陽電池複合型表示体１０に入射する光が表示面１２に到達し、第１角度範囲ＡＲ１とは異なる第２角度範囲ＡＲ２から太陽電池複合型表示体１０に入射した光が、単位レンズ３０及び隣り合う２つの表示面１２の間を通過して太陽電池パネル５０に到達する。このような形態によれば、表示面１２が太陽電池パネル５０のパネル面に対して傾斜しているため、傾斜した表示面１２がその正面方向となる方向Ｄ１６１、Ｄ１６２から観察され易くなる。一方、表示面１２を視認し易い方向Ｄ１６１、Ｄ１６２とは異なる別の方向から太陽電池複合型表示体１０に入射する光束Ｌ１６４は、隣り合う２つの表示面１２の間を透過して太陽電池パネル５０に導かれる。このように、観察者からの観察方向Ｄ１６１、Ｄ１６２と外光Ｌ１６４の入射方向との相違を利用して、周囲の環境との調和を図ると共に、表示面１２による表示及び太陽電池パネル５０による発電の両立が効果的に可能となる。その上、太陽電池パネル５０が本体部４０の第２面４０ｂに対向して配置されているため、太陽電池パネル５０の受光面５０ａが外部に露出していない。このため、太陽電池パネル５０をさらに目立たなくさせることができる。
【００９６】
その上、単位レンズ３０は、第２角度範囲ＡＲ２内から太陽電池複合型表示体１０に入射する平行光束Ｌ１６４であって、本体部４０の法線方向ｎｄに対して傾斜した或る方向からレンズ面３１に入射する平行光束Ｌ１６４を、本体部４０の法線方向ｎｄに沿った方向からレンズ面３１に入射する平行光束Ｌ１６３よりも高い透過率で、透過させる。太陽光Ｌ１６３、Ｌ１６４が全体としてみたときに本体部４０の法線方向ｎｄに対して傾斜した方向からレンズ面３１に入射する割合が多くなるように、太陽電池複合型表示体１０が設置される場合、全体としてみたときに、レンズ面３１に入射する太陽光Ｌ１６４を相対的に高い透過率で太陽電池パネル５０に導くことができ、太陽電池パネル５０の発電量を高めることができる。
【００９７】
また、単位レンズ３０は、本体部４０の法線方向ｎｄに沿った方向からレンズ面３１に入射する平行光束Ｌ１６３の一部を、全反射させる。このようなレンズ面３１の設計とすることで、本体部４０の法線方向ｎｄに対して傾斜した方向からレンズ面３１に入射する太陽光Ｌ１６４を高い透過率で透過させるようにレンズ面３１を最適化することができる。この結果、全体としてみたときに、レンズ面３１に入射する太陽光Ｌ１６４を相対的に高い透過率で太陽電池パネル５０に導くことができ、太陽電池パネル５０の発電量を高めることができる。
【００９８】
また、本実施の形態では、図１６に示すように、各表示面１２は、第１軸方向ｄ１において一側に位置する一端部１２ａが、第１軸方向ｄ１において他側に位置する他端部１２ｂよりも、本体部４０の法線方向ｎｄにおいて単位レンズ３０に近接するように、当該太陽電池パネル５０のパネル面に対して傾斜している。表示面１２は、当該表示面１２の正面方向から観察され易いことから、太陽電池パネル５０の法線方向に対して第１軸方向ｄ１における他側に傾斜した方向Ｄ１６１、Ｄ１６２から視認され易い。一方、太陽電池パネル５０の法線方向に対して第１軸方向ｄ１における一側に傾斜した方向からの光束Ｌ１６４は、表示面１２となす角度が小さい方向から本体部４０内を進行するため、表示面１２に遮られ難い。この表示面１２に遮られ難い、太陽電池パネル５０の法線方向に対して第１軸方向ｄ１における一側に傾斜した方向からの光、言い換えると第１軸方向ｄ１において他側に進みながら太陽電池複合型表示体１０へ入射する光束Ｌ１６４は、光透過領域６０を透過して太陽電池パネル５０にて受光され易くなる。
【００９９】
つまり、上記の形態によれば、表示面１２からの表示機能が発現されるようになる方向の角度範囲である第１角度範囲ＡＲ１と、太陽電池パネル５０の発電機能が発揮されるようになる方向の角度範囲である第２角度範囲ＡＲ２とが、本体部４０の法線方向ｎｄを基準として区分けされやすくなる。言い換えると、第１角度範囲ＡＲ１と第２角度範囲ＡＲ２とが、重なり合いにくくなる。これにより、第１角度範囲ＡＲ１及び第２角度範囲ＡＲ２をそれぞれ有効に広角化させることができる。
【０１００】
このように第１角度範囲ＡＲ１と第２角度範囲ＡＲ２との重なり合いが少なくなれば、さらには第１角度範囲ＡＲ１と第２角度範囲ＡＲ２とを切り分けることが可能となれば、表示面１２からの表示機能および太陽電池パネル５０の発電機能が、互いに悪影響を及ぼすことなく、より有効に発揮されるようになる。本実施の形態においては、表示面１２に付与された表示対象１３を観察している際に、太陽電池パネル５０が表示対象１３とともに観察されることを抑制することが可能となる。この場合、表示対象１３の視認性や表示対象１３の意匠性を改善することができる。
【０１０１】
とりわけ、本実施の形態による太陽電池複合型表示体１０では、太陽電池パネル５０に導かれるようになる太陽電池複合型表示体１０への入射方向の角度範囲である第２角度範囲ＡＲ２を鉛直方向における上側に傾斜した方向、及び、水平方向に設定し、表示面１２からの表示機能が発現されるようになる第１角度範囲ＡＲ１を鉛直方向における下側に傾斜した方向に設定している。この場合、典型的な利用として想定される表示板としての用途において太陽電池複合型表示体１０を目線よりも高い位置に設置する場合に好適である。観察者は、鉛直方向における上側に見上げながら太陽電池複合型表示体１０を観察するため、上側を見上げる方向となる第１角度範囲ＡＲ１から表示面１２に付与された表示対象１３を観察することができる。一方、太陽光は、時間帯や季節に応じて入射方向が変化するが、鉛直方向における下側に傾斜した方向、あるいは、略水平方向に進みながら単位形状要素３０に入射する。このため、太陽光は、時間帯や季節に応じて入射方向が変化しても、下側に傾斜した方向となる第２角度範囲ＡＲ２からレンズ面３１に入射して太陽電池パネル５０に向かうことができる。したがって、このような形態によれば、太陽光での発電および表示対象１３の表示を効果的に両立させることができる。
【０１０２】
なお、以上において上述した実施の形態に対するいくつかの変形例を説明してきたが、当然に、複数の変形例を適宜組み合わせて適用することも可能である。
【符号の説明】
【０１０３】
１０    太陽電池複合型表示体
１０ａ  表面
１０ｂ  裏面
１２    表示面
１３    表示対象
３０    単位レンズ
３１    レンズ面
４０    本体部
４０ａ  第１面
４０ｂ  第２面
５０    太陽電池パネル
５０ａ  受光面
【図１】
0006551050.tif 000004
【図２】
0006551050.tif 000005
【図３】
0006551050.tif 000006
【図４】
0006551050.tif 000007
【図５】
0006551050.tif 000008
【図６】
0006551050.tif 000009
【図７】
0006551050.tif 000010
【図８】
0006551050.tif 000011
【図９】
0006551050.tif 000012
【図１０】
0006551050.tif 000013
【図１１】
0006551050.tif 000014
【図１２】
0006551050.tif 000015
【図１３】
0006551050.tif 000016
【図１４】
0006551050.tif 000017
【図１５】
0006551050.tif 000018
【図１６】
0006551050.tif 000019